(57)【要約】【課題】  透析液の流量を正確に計測することが可能な腹膜透析用電磁流量計及び腹膜透析装置の提供を目的とする。【解決手段】  本実施形態によれば、新規の計測パイプ２６にクランプ部４０を付け替えた場合には、透析液の供給又は排出を行う前に、腹膜透析装置１０がゼロ点調節モードになり、計測パイプ２６に備えた検出電極３３，３３とクランプ部４０に備えた電磁コイル３２との相対位置に応じた新たなゼロ点データが記憶・更新される。その後、透析液が送液パイプ２０内を流れたときには、ＭＰＵ３８が前記ゼロ点データに基づきゼロ点補正を行い、そのゼロ点補正された誘起電圧データに基づき流量を算出する。これにより、送液パイプ２０の交換に伴うクランプ部４０の付け替えにより、検出電極３３，３３と電磁コイル３２との相対位置が正規の位置からずれたとしても、透析液の流量を正確に計測することができる。【選択図】  図５
2006343254.tif 000002
【特許請求の範囲】
【請求項１】
患者の腹膜内に供給される透析液の流量を計測しながら腹膜透析を行う腹膜透析装置に使用され、前記透析液の流量を計測する腹膜透析用電磁流量計であって、
前記透析液を供給するためのパイプの途中に設けられ、前記透析液が通過する計測流路を有し、前記パイプと共に使い捨て可能な取替用ハウジングと、
前記取替用ハウジングを着脱可能に保持するベースハウジングと、
前記ベースハウジングに設けられて、前記計測流路内の前記透析液に磁界を付与する電磁コイルと、
前記取替用ハウジングに設けられて、前記計測流路内を前記透析液が通過することで生じた誘起電圧を検出する検出電極と、
前記誘起電圧に基づいて、前記透析液の流量に対応した流量検出データを出力する検出データ出力部と、
前記計測流路内を満たす前記透析液の流量をゼロにした状態で起動され、その流量ゼロの透析液に対して前記検出データ出力部が実際に出力した前記流量検出データをゼロ点データとして記憶するゼロ点データ更新記憶手段と、
前記ゼロ点データ更新記憶手段が記憶した最新の前記ゼロ点データを、前記検出データ出力部が出力した前記流量検出データから引いてゼロ点補正を行う検出データ補正部とを備えたことを特徴とする腹膜透析用電磁流量計。
【請求項２】
前記請求項１に記載の腹膜透析用電磁流量計を備えた腹膜透析装置であって、未使用の前記透析液が充填された透析液容器と、
使用済みの前記透析液を収容するための廃液容器と、
前記取替用ハウジングを途中に備え、前記透析液容器と前記廃液容器と患者の腹膜内とを連絡したパイプと、
前記パイプの途中部分を前記透析液が通過可能な開状態と透析液が通過不可能な閉状態とに切り替えることで、前記透析液が流れる流路を変更する流路切替部と、
前記パイプの途中に設けられ、前記パイプ内の前記透析液を送液可能な送液ポンプと、
前記流路切替部と前記送液ポンプとを駆動制御するメイン制御部と、
前記腹膜透析装置を、ゼロ点調節モードと透析液供給モードと透析液排出モードに切り替えるためのモード切替手段とを備え、
前記メイン制御部は、前記ゼロ点調節モードになると、前記パイプを介して前記透析液容器と前記廃液容器とが連絡されるように前記流路切替部を切り替えると共に、前記透析液容器から前記廃液容器に前記透析液が送液されるように前記送液ポンプを駆動後、前記取替用ハウジングの前記計測流路が前記透析液で満された状態に保持されるように前記送液ポンプを停止し、
前記透析液供給モードになると、前記パイプを介して前記透析液容器と前記腹膜内とが連絡されるように前記流路切替部を切り替えると共に、前記透析液容器から前記腹膜内に前記透析液が送液されるように前記送液ポンプを駆動し、
前記透析液排出モードになると、前記パイプを介して前記廃液容器と前記腹膜内とが連絡されるように前記流路切替部を切り替えると共に、前記腹膜内から前記廃液容器に前記透析液が送液されるように前記送液ポンプを駆動し、
前記ゼロ点データ更新記憶手段は、前記ゼロ点調節モードになったことを条件に作動するように構成したことを特徴とする腹膜透析装置。
【請求項３】
前記メイン制御部は、前記ゼロ点調節モードにおいて前記透析液容器から前記廃液容器に前記透析液が送液されたか否かを、前記腹膜透析用電磁流量計の計測結果に基づいて判別するように構成したことを特徴とする請求項２に記載の腹膜透析装置。
【請求項４】
前記モード切替手段は、腹膜透析の開始時に自動的に前記腹膜透析装置を前記ゼロ点調節モードにすると共に、前記ゼロ点データ更新記憶手段の作動後、自動的に前記透析液供給モードに切り替えるように構成されたことを特徴とする請求項２又は３に記載の腹膜透析装置。
【発明の詳細な説明】
【技術分野】
【０００１】
本発明は、患者の腹膜内に供給される透析液の流量を計測しながら腹膜透析を行う腹膜透析装置及び、その腹膜透析装置に使用され透析液の流量を計測する腹膜透析用電磁流量計に関する。
【背景技術】
【０００２】
一般に、腹膜透析では、腹膜内の透析液を所定時間毎に交換する必要がある。ところが、例えば、透析液バッグの配置や、透析液が流れるパイプの折れ曲がり等により、定められた量の透析液を腹膜内に供給或いは腹膜内から排出できないことが起こり得た。
【０００３】
このような問題を解決する手段として、パイプの途中に電磁流量計を取り付け、透析液の供給量及び排出量を監視することが考えられる。
【０００４】
ところで、透析液が流れるパイプは、衛生上の観点から一般には１回使用すると廃棄されて新しいパイプに交換される。このような使い捨てのパイプに取り付け可能な電磁流量計として、パイプ内の透析液に磁界を付与する電磁コイルをパイプに着脱可能とする一方、パイプ内を透析液が通過することで生じた誘起電圧を検出する検出電極をパイプと一体に設けたものがある。この電磁流量計では、パイプ交換時に電磁コイルを使用済みのパイプから取り外して新規のパイプに付け替えていた。
【発明の開示】
【発明が解決しようとする課題】
【０００５】
しかしながら、上述した従来の電磁流量計では、電磁コイルを新規のパイプに付け替える際に、新規のパイプに固定された検出電極と電磁コイルとの相対位置が正規の位置からずれて、流量の計測値が実際の流量よりもプラス側或いはマイナス側にシフトすることがあった。なお、本発明に関する先行技術文献は見つからなかった。
【０００６】
本発明は、上記事情に鑑みてなされたもので、透析液の流量を正確に計測することが可能な腹膜透析用電磁流量計及び腹膜透析装置の提供を目的とする。
【課題を解決するための手段】
【０００７】
上記目的を達成するためになされた請求項１の発明に係る腹膜透析用電磁流量計は、患者の腹膜内に供給される透析液の流量を計測しながら腹膜透析を行う腹膜透析装置に使用され、透析液の流量を計測する腹膜透析用電磁流量計であって、透析液を供給するためのパイプの途中に設けられ、透析液が通過する計測流路を有し、パイプと共に使い捨て可能な取替用ハウジングと、取替用ハウジングを着脱可能に保持するベースハウジングと、ベースハウジングに設けられて、計測流路内の透析液に磁界を付与する電磁コイルと、取替用ハウジングに設けられて、計測流路内を透析液が通過することで生じた誘起電圧を検出する検出電極と、誘起電圧に基づいて、透析液の流量に対応した流量検出データを出力する検出データ出力部と、計測流路内を満たす透析液の流量をゼロにした状態で起動され、その流量ゼロの透析液に対して検出データ出力部が実際に出力した流量検出データをゼロ点データとして記憶するゼロ点データ更新記憶手段と、ゼロ点データ更新記憶手段が記憶した最新のゼロ点データを、検出データ出力部が出力した流量検出データから引いてゼロ点補正を行う検出データ補正部とを備えたところに特徴を有する。
【０００８】
請求項２の発明に係る腹膜透析装置は、請求項１に記載の腹膜透析用電磁流量計を備えた腹膜透析装置であって、未使用の透析液が充填された透析液容器と、使用済みの透析液を収容するための廃液容器と、取替用ハウジングを途中に備え、透析液容器と廃液容器と患者の腹膜内とを連絡したパイプと、パイプの途中部分を透析液が通過可能な開状態と透析液が通過不可能な閉状態とに切り替えることで、透析液が流れる流路を変更する流路切替部と、パイプの途中に設けられ、パイプ内の透析液を送液可能な送液ポンプと、流路切替部と送液ポンプとを駆動制御するメイン制御部と、腹膜透析装置を、ゼロ点調節モードと透析液供給モードと透析液排出モードに切り替えるためのモード切替手段とを備え、メイン制御部は、ゼロ点調節モードになると、パイプを介して透析液容器と廃液容器とが連絡されるように流路切替部を切り替えると共に、透析液容器から廃液容器に透析液が送液されるように送液ポンプを駆動後、取替用ハウジングの計測流路が透析液で満された状態に保持されるように送液ポンプを停止し、透析液供給モードになると、パイプを介して透析液容器と腹膜内とが連絡されるように流路切替部を切り替えると共に、透析液容器から腹膜内に透析液が送液されるように送液ポンプを駆動し、透析液排出モードになると、パイプを介して廃液容器と腹膜内とが連絡されるように流路切替部を切り替えると共に、腹膜内から廃液容器に透析液が送液されるように送液ポンプを駆動し、ゼロ点データ更新記憶手段は、ゼロ点調節モードになったことを条件に作動するように構成したところに特徴を有する。
【０００９】
請求項３の発明は、請求項２に記載の腹膜透析装置において、メイン制御部は、ゼロ点調節モードにおいて透析液容器から廃液容器に透析液が送液されたか否かを、腹膜透析用電磁流量計の計測結果に基づいて判別するように構成したところに特徴を有する。
【００１０】
請求項４の発明は、請求項２又は３に記載の腹膜透析装置において、モード切替手段は、腹膜透析の開始時に自動的に腹膜透析装置をゼロ点調節モードにすると共に、ゼロ点データ更新記憶手段の作動後、自動的に透析液供給モードに切り替えるように構成されたところに特徴を有する。
【発明の効果】
【００１１】
［請求項１の発明］
上記のように構成した請求項１に係る発明によれば、パイプ交換に伴い取替用ハウジングが交換され、新規の取替用ハウジングがベースハウジングに装着されたときに、流量ゼロの透析液に対して検出データ出力部が誘起電圧に基づいて実際に出力した流量検出データをゼロ点データとして更新する。即ち、パイプ交換が行われる毎に、検出電極と電磁コイルとの相対位置に応じた新たなゼロ点データが更新される。その後、透析液がパイプ内を流れたときには、誘起電圧に基づく流量検出データから、更新された最新のゼロ点データを引いてゼロ点補正を行う。これにより、パイプ交換に伴って検出電極と電磁コイルとの相対位置が正規の位置からずれたとしても、透析液の流量を正確に計測することができる。
【００１２】
［請求項２の発明］
請求項２の発明によれば、腹膜透析装置がゼロ点調節モードになると、パイプを介して透析液容器と廃液容器とが連絡され、送液ポンプによって透析液容器から廃液容器に透析液が送液される。その後、送液ポンプは停止して取替用ハウジングの計測流路が透析液で満された状態に保持される。即ち、計測流路における透析液の流量がゼロとなる。この状態で、検出データ出力部が誘起電圧に基づいて実際に出力した流量検出データをゼロ点データとして更新する。即ち、ゼロ点調節モードにおいて、検出電極と電磁コイルとの相対位置に応じた新たなゼロ点データが更新される。
【００１３】
腹膜透析装置が透析液供給モードに切り替わると、パイプを介して透析液容器と腹膜内とが連絡され、送液ポンプによって透析液容器から腹膜内に透析液が送液される。そして、パイプ内を透析液が流れることで生じた誘起電圧に基づいて流量検出データが出力され、その流量検出データからゼロ点調節モードで更新されたゼロ点データを引いてゼロ点補正をおこなう。
【００１４】
また、透析液排出モードに切り替わると、パイプを介して廃液容器と腹膜内とが連絡され、送液ポンプによって腹膜内から廃液容器に透析液が送液される。そして、パイプ内を透析液が流れることで生じた誘起電圧に基づいて流量検出データが出力され、その流量検出データからゼロ点調節モードで更新されたゼロ点データを引いてゼロ点補正をおこなう。
【００１５】
これにより、取替用ハウジングの交換に伴い、検出電極と電磁コイルとの相対位置が正規の位置からずれたとしても、透析液の供給時及び排出時における流量計測を正確に行うことができる。
【００１６】
［請求項３の発明］
請求項３の発明によれば、未使用の透析液が無駄に廃液容器に送液されることが防がれる。
【００１７】
［請求項４の発明］
請求項４の発明によれば、ゼロ点調節モードから透析液供給モードに切り替える場合に手動でモード切替する手間が省ける。
【発明を実施するための最良の形態】
【００１８】
以下、本発明の一実施形態を図１〜図１１に基づいて説明する。
図１には、本発明の腹膜透析装置１０の全体構成が示されている。この腹膜透析装置１０は、主に、自動的に透析液を交換する療法（所謂、ＡＰＤ，Automated Peritoneal 
Dialysis）に使用されるものであり、例えば、患者の就寝中に、腹膜Ｐ内の透析液を複数回に亘って自動的に交換するものである。
【００１９】
腹膜透析装置１０は、未使用の透析液が充填された複数の透析液バッグ１１（本発明の「透析液容器」に相当する）を備え、それら透析液バッグ１１と患者の腹膜Ｐ及び廃液バッグ１２（本発明の「廃液容器」に相当する）とが、送液パイプ２０（本発明の「パイプ」に相当する）により連絡されている。そして、送液パイプ２０を介して、透析液バッグ１１から腹膜Ｐ内への未使用の透析液の供給及び腹膜Ｐ内から廃液バッグ１２への使用済みの透析液の排出が行われる。透析液バッグ１１、廃液バッグ１２及び送液パイプ２０は、衛生上の観点から１回だけの使用に限られ使用後は廃棄される。即ち、繰り返し使用するものではなく使い捨てである。
【００２０】
送液パイプ２０は可撓性の合成樹脂で構成され、その一端部は、透析液バッグ接続パイプ２１となっている。透析液バッグ接続パイプ２１は、送液パイプ２０の一端部を複数（例えば、３つ）の管に分岐させた構造をなし、１つの透析液バッグ接続パイプ２１に１つの透析液バッグ１１が接続されている。
【００２１】
一方、送液パイプ２０の他端部は、患者接続パイプ２２となっている。患者接続パイプ２２は、患者の腹膜Ｐに挿入固定されたカテーテルＫｔと接続可能となっている。また、送液パイプ２０のうち、患者接続パイプ２２と透析液バッグ接続パイプ２１との間の中継パイプ２４は、透析液バッグ接続パイプ２１寄り部分で第１の中継パイプ２４ａと第２の中継パイプ２４ｂとに分岐しかつ、患者接続パイプ２２の手前でそれら第１及び第２の中継パイプ２４ａ，２４ｂが合流した構造をなす。さらに、第１の中継パイプ２４ａの途中部分からは、廃液バッグ接続パイプ２３が分岐し、これが廃液バッグ１２に接続されている。以下、説明の便宜上、中継パイプ２４のうち透析液バッグ接続パイプ２１側を上流といい、患者接続パイプ２２側を下流という。
【００２２】
図１に示すように、腹膜透析装置１０には、送液パイプ２０内の透析液を腹膜Ｐ或いは廃液バッグ１２に送液するための送液ポンプ１３が備えられている。送液ポンプ１３は、第１の中継パイプ２４ａの途中に備えられている。図示しないが、送液ポンプ１３は、所謂、ローラポンプであって、ローラで第１の中継パイプ２４ａを送液方向に順次圧迫することで、第１の中継パイプ２４ａ内の透析液を腹膜Ｐ或いは廃液バッグ１２に向けて押し出す構成となっている。ここで、送液ポンプ１３は繰り返し使用可能である。
【００２３】
図１に示すように、腹膜透析装置１０には、ヒータ１４が備えられている。ヒータ１４は、中継パイプ２４のうち、第１の中継パイプ２４ａと第２の中継パイプ２４ｂとの分岐部分よりも上流側に備えられ、中継パイプ２４の内部を流れる透析液を暖める構成となっている。このヒータ１４により未使用の透析液は、腹膜Ｐに供給される前に予め所定温度（例えば、体温に近い温度）に調節される。ヒータ１４も、送液ポンプ１３と同様に繰り返し使用可能である。
【００２４】
さらに、腹膜透析装置１０には、透析液の流路を変更する流路切替部１５が備えられている。流路切替部１５は、例えば、送液パイプ２０の所定部位を外側から圧迫可能な複数の開閉弁１５Ｃを備えてなる。開閉弁１５Ｃにより送液パイプ２０が圧迫されると、送液パイプ２０が変形してその内部領域、即ち、透析液が通る流路が圧迫部位で閉塞し透析液が通過不可能となる。また、開閉弁１５Ｃによる圧迫が解除されると、送液パイプ２０は元の形状に復元して流路が開通し透析液が通過可能となる。そして、開閉弁１５Ｃによる送液パイプ２０の圧迫部位の組合せに応じて透析液の流れる流路が種々変更される。
【００２５】
より具体的には、開閉弁１５Ｃは、透析液バッグ接続パイプ２１、第２の中継パイプ２４ｂ、廃液バッグ接続パイプ２３の途中部分と、第１の中継パイプ２４ａの廃液バッグ接続パイプ２３との分岐部分よりも下流側部分とに設けられている。
【００２６】
そして、例えば、図１０に示すように、何れか２つの透析液バッグ接続パイプ２１と第２の中継パイプ２４ｂ及び廃液バッグ接続パイプ２３の途中部分が開閉弁１５Ｃに圧迫されて透析液が通過不可能になりかつ、残りの１つの透析液バッグ接続パイプ２１と患者接続パイプ２２及び第１の中継パイプ２４ａが開閉弁１５Ｃに圧迫されずに透析液が通過可能になった状態で送液ポンプ１３が駆動すると、透析液バッグ１１の透析液が、透析液バッグ接続パイプ２１、第１の中継パイプ２４ａ、患者接続パイプ２２の順に流れて患者の腹膜Ｐ内に供給される。
【００２７】
また、例えば、図１１に示すように、全ての透析液バッグ接続パイプ２１と第１の中継パイプ２４ａの途中部分が開閉弁１５Ｃに圧迫されて透析液が通過不可能となり、廃液バッグ接続パイプ２３と第２の中継パイプ２４ｂとが開閉弁１５Ｃに圧迫されずに透析液が通過可能になった状態で送液ポンプ１３が駆動すると、患者の腹膜Ｐ内の透析液が、患者接続パイプ２２、第２の中継パイプ２４ｂ、第１の中継パイプ２４ａ、廃液バッグ接続パイプ２３の順に流れて廃液バッグ１２に排出される。
【００２８】
ところで、図１に示すように、第１の中継パイプ２４ａの途中部分には、計測パイプ２６が一体に設けられている。計測パイプ２６は、例えば、非可撓性の樹脂で形成され、第１の中継パイプ２４ａのうち、送液ポンプ１３よりも下流側でかつ廃液バッグ接続パイプ２３との分岐部分よりも上流側に設けられている。そして、計測パイプ２６の内部領域を通過した未使用の透析液及び患者の腹膜Ｐから排出された使用済みの透析液の流量が、後述する腹膜透析用電磁流量計３０（以下、単に「電磁流量計３０」という）により計測される。ここで、計測パイプ２６の内部領域が、本発明の「計測流路」に相当する。なお、本実施形態の電磁流量計３０では、流速に計測パイプ２６の内部領域の断面積を乗じて求められる「単位時間当たりの流量」（以下、単に「流量」という）と、その「流量」を所定時間に亘って積算した「総通過体積」（即ち、所定時間の間に計測パイプ２６を通過した透析液の積算体積）とを計測している。
【００２９】
ここで、腹膜透析装置１０の電気的な構成を図２に基づいて説明する。腹膜透析装置１０は、ＭＰＵ３８を主要部として備えたコントロール部３５（本発明の「メイン制御部」に相当する）を備え、このコントロール部３５により、腹膜透析装置１０に備えた送液ポンプ１３、ヒータ１４、流路切替部１５及び次述する流量センサ３１が駆動制御されている。
【００３０】
流量センサ３１は、一般的な電磁流量センサと同一の構成である。即ち、流量センサ３１は、計測パイプ２６の側方から計測パイプ２６を横切るように磁束を付与する電磁コイル３２と、前記磁束と直交する方向に対向配置された１対の検出電極３３，３３とを備える。この構成により、導電性を有する透析液が、計測パイプ２６内を流れて磁束を横切ると、流速に対応した誘起電圧が発生する。そして、この誘起電圧を１対の検出電極３３，３３によって検出し、コントロール部３５に出力する。コントロール部３５に入力した誘起電圧の検出値は、アンプ３６で増幅され、ＡＤコンバータ３７でＡＤ変換されてＭＰＵ３８に出力される。
【００３１】
ＭＰＵ３８は、ＡＤコンバータ３７から入力した誘起電圧のデジタルデータ（以下、「誘起電圧データ」という）に基づいて演算処理を行い流量を算出する。即ち、誘起電圧に応じた流速に計測パイプ２６の内部領域の断面積を乗じて流量を算出し、さらに、この流量を積算して透析液の総通過体積を算出する。また、ＭＰＵ３８は、励磁回路３４を駆動制御して計測パイプ２６の内部に磁束を付与させる。コントロール部３５には、演算結果を記憶する書き込み可能なメモリ３９Ａ（例えば、ＲＡＭやＥＥＰＲＯＭ）と、後述する透析液交換プログラムＰＧを記憶したＲＯＭ３９Ｂとが備えられている。このように、本実施形態では流量センサ３１とコントロール部３５とにより、電磁流量計３０が構成されている。
【００３２】
ところで、流量センサ３１のうち、検出電極３３，３３は計測パイプ２６に一体に設けられている。図３に示すように、検出電極３３，３３は、略棒状をなし、計測パイプ２６の側面を相反する方向から内外に貫通し、先端部が計測パイプ２６の内面に面一となるように突入している。これにより、計測パイプ２６の内部領域を通過する際に透析液が検出電極３３，３３に直接接触するようになっている。ここで、計測パイプ２６は、前記したように送液パイプ２０の一部である第１の中継パイプ２４ａに一体に設けられているので、計測パイプ２６に一体に設けられた検出電極３３，３３は、送液パイプ２０の廃棄時に一緒に廃棄されることになる。なお、計測パイプ２６と検出電極３３，３３とにより本発明の「取替用ハウジング」が構成されている。
【００３３】
一方、流量センサ３１のうち電磁コイル３２及び励磁回路３４は、図４に示すクランプ部４０に内蔵されている。クランプ部４０は、計測パイプ２６及び検出電極３３，３３を側方から挟持する構成となっており、計測パイプ２６に対して着脱可能となっている。クランプ部４０は、コントロール部３５から延びた信号送受信用のケーブル５２の先端に設けられている。
【００３４】
クランプ部４０は、ベース体４１とカバー体４２とをヒンジ４６で連結してなり、ベース体４１及びカバー体４２の互いの接合面には、計測パイプ２６を嵌合固定するための縦溝部４３と、検出電極３３，３３を嵌合固定するための横溝部４４がそれぞれ形成されている。そして検出電極３３，３３を嵌合固定するための横溝部４４には、検出電極３３，３３とクランプ部４０とを導通接続するための接続端子４５，４５が備えられている。検出電極３３，３３により検出された誘起電圧は、クランプ部４０の接続端子４５，４５を介して、コントロール部３５に入力するようになっている。このように、電磁流量計３０のうち、計測パイプ２６及び検出電極３３，３３は使い捨てであるのに対し、その他の部分（クランプ部４０、コントロール部３５）は、繰り返し使用可能となっている。なお、クランプ部４０は、本発明の「ベースハウジング」に相当する。
【００３５】
本実施形態の腹膜透析装置１０及び電磁流量計３０の構成は以上であって、次に、図５〜図８のフローチャートを用いて動作を説明する。
【００３６】
患者は、就寝する前に腹膜透析の準備を行う。腹膜透析装置１０を用いて腹膜透析を行う場合には、まず、腹膜透析装置１０に新しい送液パイプ２０をセットする。具体的には、送液パイプ２０の所定位置に流路切替部１５の開閉弁１５Ｃをセットし、透析液バッグ接続パイプ２１を未使用の透析液が充填された透析液バッグ１１に接続すると共に、廃液バッグ接続パイプ２３を空の廃液バッグ１２に接続する。そして、コントロール部３５から延びたクランプ部４０を計測パイプ２６に取り付けて、最後に患者接続パイプ２２をカテーテルＫｔに接続する。
【００３７】
送液パイプ２０をセットしたら、腹膜透析装置１０に電源を投入する。そして、各種設定項目を入力してから図示しない開始ボタンを押すと、腹膜透析装置１０に備えたＭＰＵ３８がＲＯＭ３９Ｂから図５に示す透析液交換プログラムＰＧを読み出して実行する。
【００３８】
透析液交換プログラムＰＧでは、まず、腹膜透析装置１０をゼロ点調節モードにする（Ｓ１）。ゼロ点調節モードにおける動作は、図６に示されており、まず、透析液の流路を切り替える（Ｓ１１）。具体的には、図９に示すように、１つ目の透析液バッグ１１に接続された透析液バッグ接続パイプ２１と廃液バッグ接続パイプ２３を透析液が通過可能な開状態とし、他の２つの透析液バッグ１１，１１に接続された透析液バッグ接続パイプ２１，２１と第１、第２の中継パイプ２４ａ，２４ｂの途中部分を開閉弁１５Ｃで圧迫して透析液が通過不可能な閉状態にする。
【００３９】
次いで、送液ポンプ１３が起動し（Ｓ１２）、透析液が、１つ目の透析液バッグ１１から透析液バッグ接続パイプ２１、第１の中継パイプ２４ａ、廃液バッグ接続パイプ２３の順に流れて廃液バッグ１２に向けて流される。これにより、第１の中継パイプ２４ａの途中に設けられた計測パイプ２６に透析液が流れて、計測パイプ２６の内側領域が透析液で満たされる。
【００４０】
次いで、送液ポンプ１３が起動してから予め設定された所定時間（例えば、１〜２分）が経過したか否かをチェックし（Ｓ１３）、所定時間が経過した場合（Ｓ１３でＹＥＳ）には、送液ポンプ１３を停止する（Ｓ１４）。これにより、計測パイプ２６内における透析液の流れが止まり、計測パイプ２６内は透析液が満たされた状態で流量が「０」に保持される。なお、このとき、開状態の透析液バッグ接続パイプ２１と廃液バッグ接続パイプ２３とを閉状態に切り替えれば、より確実に透析液の流れを止める（流量を「０」に保持する）ことができる。
【００４１】
次いで、検出電極３３，３３により、流量「０」の状態で計測パイプ２６内に生じた誘起電圧を検出する。また、その検出値をアンプ３６で増幅後、ＡＤコンバータ３７で誘起電圧データに変換してＭＰＵ３８に出力する（Ｓ１５）。ＭＰＵ３８に出力された誘起電圧データは、流量ゼロの透析液に対して算出された最新のゼロ点データとしてメモリ３９Ａに記憶・更新する（Ｓ１６）。ゼロ点調節モードにおける動作は以上で終了である。ここで、最新のゼロ点データをメモリ３９Ａに記憶・更新した時点で、ゼロ点調節モードを抜けるようにしてもよいし、ゼロ点データ更新処理（Ｓ１６）の実行時間を予め設定しておき、その実行時間が経過したことを以てゼロ点調節モードを抜けるようにしてもよい。なお、アンプ３６及びＡＤコンバータ３７は、本発明の「検出データ出力部」に相当し、アンプ３６及びＡＤコンバータ３７を介して出力される誘起電圧データは、本発明の「流量検出データ」に相当する。また、メモリ３９Ａ及び、ゼロ点調節モードにおけるステップＳ１５，Ｓ１６の処理（図６を参照）は、本発明の「ゼロ点データ更新記憶手段」に相当する。
【００４２】
図５に示すように、ゼロ点調節モードの動作が終了すると（ゼロ点データが更新されると）、腹膜透析装置１０は、自動的に透析液供給モードに切り替わる（Ｓ２）。透析液供給モードにおける動作は、図７に示されており、まず、透析液の流路を切り替える（Ｓ２１）。
【００４３】
具体的には、図１０に示すように、１つ目の透析液バッグ１１に接続された透析液バッグ接続パイプ２１と第１の中継パイプ２４ａが開状態とされ、他の２つの透析液バッグ接続パイプ２１，２１と、第２の中継パイプ２４ｂ、廃液バッグ接続パイプ２３の途中部分が開閉弁１５Ｃによって圧迫されて閉状態になる。
【００４４】
流路が切り替わると、送液ポンプ１３が起動し（Ｓ２２）、流量計測処理（Ｓ２３）が開始される。即ち、送液ポンプ１３により、未使用の透析液が透析液バッグ接続パイプ２１、第１の中継パイプ２４ａ、患者接続パイプ２２の順に流れて、患者の腹膜Ｐに注入されると共に、計測パイプ２６を通過した未使用の（患者の腹膜Ｐに供給された）透析液の流量が計測される。
【００４５】
流量計測処理（Ｓ２３）は、図８に示されており、計測パイプ２６を透析液が通過することで生じた誘起電圧を検出電極３３，３３で検出する。また、誘起電圧の検出値をアンプ３６で増幅後、ＡＤコンバータ３７でＡＤ変換してＭＰＵ３８に出力する（Ｓ３１）。ＭＰＵ３８は、誘起電圧データが入力すると、ゼロ点補正を行う（Ｓ３２）。即ち、メモリ３９Ａに記憶されたゼロ点データを読み出し、ＡＤコンバータ３７から入力した誘起電圧データからゼロ点データを減算する。そして、ゼロ点補正された誘起電圧データに基づき透析液の流量を演算する（Ｓ３３）。即ち、ゼロ点補正された誘起電圧データから流速を求め、その流速値に計測パイプ２６の断面積を乗じて流量を算出する。さらに、この流量を積算して、計測パイプ２６を通過した（腹膜Ｐに供給された）透析液の総通過体積を算出する。算出された流量及び総通過体積は、例えば、メモリ３９Ａや図示しない表示装置に出力する（Ｓ３４）。ここで、ＭＰＵ３８は、本発明の「検出データ補正部」に相当する。
【００４６】
図７に示すように、流量計測処理（Ｓ２３）は、流量が「０」となるまで継続し、流量が「０」となった場合（Ｓ２４でＹＥＳ）、即ち、透析液バッグ１１に充填された全ての透析液が腹膜Ｐに供給された場合に、送液ポンプ１３を停止して（Ｓ２５）、透析液供給モードの動作が終了する。
【００４７】
図５に示すように、透析液供給モードの動作が終了すると、透析時間の計時が開始される（Ｓ３）。透析時間は、例えば、患者が予め任意に設定した時間（例えば、１〜３時間であり、その透析時間が経過すると（Ｓ３でＹＥＳ）、腹膜透析装置１０は自動的に透析液排出モードに切り替わる（Ｓ４）。
【００４８】
透析液排出モードにおける動作は、透析液供給モードにおける動作と同じである。即ち、図７に示すように、透析液の流路を切り替える（Ｓ２１）。具体的には、図１１に示すように、全ての透析液バッグ接続パイプ２１と第１の中継パイプ２４ａが開閉弁１５Ｃにより圧迫されて閉状態となり、第２の中継パイプ２４ｂと廃液バッグ接続パイプ２３が開状態になる。
【００４９】
流路が切り替わると、送液ポンプ１３が起動し（Ｓ２２）、流量計測処理（Ｓ２３）が開始される（Ｓ２３）。即ち、送液ポンプ１３により、患者の腹膜Ｐ内で透析に使用された使用済みの透析液が患者接続パイプ２２、第２の中継パイプ２４ｂ、第１の中継パイプ２４ａ、廃液バッグ接続パイプ２３の順に流れて、廃液バッグ１２に排出されると共に、計測パイプ２６を通過した使用済みの透析液の流量及び積算体積が計測される。流量計測処理（Ｓ２３）は、上述した通りであり（図８を参照）、流量が「０」となるまで継続する。そして、流量が「０」となった場合（Ｓ２４でＹＥＳ）、即ち、腹膜Ｐから透析液が排出されなくなったら、送液ポンプ１３が停止して（Ｓ２５）、透析液排出モードの動作が終了する。
【００５０】
図５に示すように、透析液排出モードの動作が終了したら、透析液の交換回数をチェックする（Ｓ５）。透析液の交換回数が予め設定した回数に達していない場合（Ｓ５でＮＯ）には、交換回数を１インクリメントして（Ｓ６）、腹膜透析装置１０を透析液供給モードに切り替え、上記ステップＳ１〜Ｓ５の処理を繰り返す。そして、透析液の交換回数が設定回数に達したら（Ｓ５でＹＥＳ）、透析液交換プログラムＰＧを抜ける。なお、２回目の透析液の供給時には、２つ目の透析液バッグ１１に接続された透析液バッグ接続パイプ２１を開状態とし、３回目の透析液の供給時には、３つ目の透析液バッグ１１に接続された透析液バッグ接続パイプ２１を開状態とし、以下、開状態にする透析液バッグ接続パイプ２１を順番に変えていく。そして、全ての透析液の注排出が終了したら、例えば、電源を自動的にＯＦＦする。なお、透析液交換プログラムＰＧは、腹膜透析装置１０を、ゼロ点調節モード、透析液供給モード、透析液排出モードに切り替えるので、本発明の「モード切替手段」に相当する。
【００５１】
患者は起床したら、カテーテルＫｔから使用済みの送液パイプ２０を取り外し、電磁流量計３０のクランプ部４０を計測パイプ２６から取り外す。そして、使用済みの送液パイプ２０は、透析液バッグ１１及び廃液バッグ１２と共に廃棄される。
【００５２】
このように、本実施形態によれば、送液パイプ２０の交換に伴い計測パイプ２６が交換され、新規の計測パイプ２６にクランプ部４０を付け替えた場合には、透析液の供給又は排出を行う前に、腹膜透析装置１０がゼロ点調節モードになる。ゼロ点調節モードでは、流量がゼロの透析液に対してＡＤコンバータ３７が実際に出力した誘起電圧データをゼロ点データとして記憶・更新する。即ち、計測パイプ２６に備えた検出電極３３，３３とクランプ部４０に備えた電磁コイル３２との相対位置に応じた新たなゼロ点データが記憶される。その後、腹膜透析装置１０が透析液供給モード及び透析液排出モードになって、透析液が送液パイプ２０内を流れたときには、ＭＰＵ３８が、ＡＤコンバータ３７から入力した誘起電圧データから最新のゼロ点データを減算してゼロ点補正を行い、そのゼロ点補正された誘起電圧データに基づき流量を算出する。これにより、送液パイプ２０の交換に伴うクランプ部４０の付け替えにより、検出電極３３，３３と電磁コイル３２との相対位置が正規の位置からずれたとしても、透析液の供給時及び排出時に流量を正確に計測することができる。
【００５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、腹膜透析装置１０は、電源投入後、１回目の透析液の交換時にのみ、ゼロ点補正を行う（ゼロ点調節モードになる）ように構成されていたが、２回目以降の透析液の交換時、即ち、透析液排出モードから透析液供給モードに切り替わる前に毎回、ゼロ点補正を行うようにしてもよい。また、透析液排出モードに切り替わる前にもゼロ点補正を行うようにしてもよい。さらに、透析液排出モード及び透析液供給モードの途中で透析液の流れを止めてゼロ点補正を行うようにしてもよい。
【００５４】
（２）上記実施形態では、腹膜透析装置１０は、ゼロ点調節モード、透析液供給モード、透析液排出モードの順に切り替わるようにしていたが、例えば、ゼロ点調節モード、透析液排出モード、透析液供給モードの順に切り替わるようにしてもよい。
【００５５】
（３）上記実施形態では、ＡＤコンバータ３７から出力された誘起電圧のデジタルデータに対してゼロ点補正をしていたが、検出電極３３，３３による誘起電圧のアナログデータや、誘起電圧に基づいて求められた流速或いは流量に対してゼロ点補正をしてもよい。
【００５６】
（４）上記実施形態では、クランプ部４０に電磁コイル３２と励磁回路３４とを内蔵していたが、クランプ部４０は電磁コイル３２のみを内蔵しかつ、励磁回路３４はコントロール部３５に備えた構成としてもよい。
【００５７】
（５）上記実施形態では、ゼロ点調節モードにおいて、送液ポンプ１３が起動してから所定時間経過したことを以て、計測パイプ２６の内部が透析液で満たされたと判断するようにしていたが、電磁流量計３０により実際に流量を計測して、その計測値に基づいて計測パイプ２６内に透析液が満たされたと判断するようにしてもよい。このようにすれば、未使用の透析液が無駄に廃液バッグ１２に送液されることが防止される。
【００５８】
（６）上記実施形態では、送液ポンプ１３を、所謂、ローラポンプとしていたが、ダイヤフラムポンプであってもよい。
【００５９】
（７）上記実施形態では、流量が「０」となるまで流量計測処理（Ｓ２３）を継続し、流量が「０」となった場合（Ｓ２４でＹＥＳ）に、送液ポンプ１３を停止して（Ｓ２５）、透析液供給モード或いは透析液排出モードの動作が終了するように構成していたが、総通過体積が予め設定された所定量となった場合に、送液ポンプ１３を停止して（Ｓ２５）、透析液供給モード或いは透析液排出モードの動作を終了するようにしてもよい。
【図面の簡単な説明】
【００６０】
【図１】本発明の一実施形態に係る腹膜透析装置の概念図
【図２】腹膜透析装置の電気的構成を示すブロック図
【図３】計測パイプの斜視図
【図４】クランプ部の斜視図
【図５】透析液交換プログラムを示すフローチャート
【図６】ゼロ点調節モードにおける動作を示すフローチャート
【図７】透析液供給モード及び透析液排出モードにおける動作を示すフローチャート
【図８】流量計測処理を示すフローチャート
【図９】ゼロ点調節モードにおける腹膜透析装置の概念図
【図１０】透析液供給モードにおける腹膜透析装置の概念図
【図１１】透析液排出モードにおける腹膜透析装置の概念図
【符号の説明】
【００６１】
１０    腹膜透析装置
１１    透析液バッグ（透析液容器）
１２    廃液バッグ（廃液容器）
１３    送液ポンプ
１５    流路切替部
２０    送液パイプ（パイプ）
２６    計測パイプ（取替用ハウジング）
３０    腹膜透析用電磁流量計
３２    電磁コイル
３３    検出電極
３５    コントロール部（メイン制御部）
３６    アンプ（検出データ出力部）
３７    ＡＤコンバータ（検出データ出力部）
３８    ＭＰＵ（検出データ補正部）
３９Ａ    メモリ（ゼロ点データ更新記憶手段）
４０    クランプ部（ベースハウジング）
Ｐ    腹膜
ＰＧ    透析液交換プログラム（モード切替手段）
【図１】
2006343254.tif 000003
【図２】
2006343254.tif 000004
【図３】
2006343254.tif 000005
【図４】
2006343254.tif 000006
【図５】
2006343254.tif 000007
【図６】
2006343254.tif 000008
【図７】
2006343254.tif 000009
【図８】
2006343254.tif 000010
【図９】
2006343254.tif 000011
【図１０】
2006343254.tif 000012
【図１１】
2006343254.tif 000013